(57)【要約】  未知の電気負荷の照明要素の照明構成をモニタするためのモニタデバイス、及びモニタ構成を用いるドライバが提供される。デューティサイクルのセットが、それによって所望の光出力を作成するよう、照明要素のサブセットを制御するスイッチに適用される。この所望のデューティサイクル設定で、とりわけ、個々のデューティサイクル周期内の電流プラトーレベルにおける変化を検出するために、前記個々のデューティサイクル周期の間の電流がモニタされる。これは、検出された電流の関数として前記デューティサイクルを調節するために及び前記照明構成の電力消費量を決定するために、用いられる。これは、前記負荷の性質及び電力消費量を決定するために前記照明要素のサブセットを個別に調査する必要性をなくす。
2020532056.tif 000002
【特許請求の範囲】
【請求項１】
未知の電気負荷の照明要素の照明構成をモニタするためのモニタデバイスであって、前記照明構成が、ＤＣ電圧を前記照明構成に結合するためのスイッチ構成に関連付けられ、前記スイッチ構成が、スイッチのセットを有し、前記スイッチの各々が、前記照明要素のサブセットへの接続のためのものであり、前記モニタデバイスが、
パルス幅変調を用いて前記スイッチ構成を制御するための制御信号を供給するためのコントローラを有し、前記コントローラが、
前記スイッチのセットにデューティサイクルのセットを同時に適用し、それによって、ユーザによって選択された光出力を作成し、
個々のデューティサイクル周期内の複数の時点において電流をモニタし、それによって、前記デューティサイクル周期内の複数の電流プラトーを検出し、
検出された前記電流プラトーと、前記デューティサイクルのセットとに基づいて、前記照明構成の電力消費量を決定し、
前記検出された電流プラトーに応じて前記デューティサイクルを調節するよう適合されるモニタデバイス。
【請求項２】
前記コントローラが、異なる電流レベルのセットの分析に基づいて、照明要素の各サブセットを流れる電流を決定するよう適合される請求項１に記載のデバイス。
【請求項３】
前記コントローラが、前記負荷の決定された前記電力消費量及び前記ドライバの負荷定格に基づいて、前記デューティサイクルのセットの各デューティサイクルの最大デューティサイクルを設定するよう適合される請求項１乃至２のいずれか一項に記載のデバイス。
【請求項４】
前記コントローラが、
連続した個々のデューティサイクル周期のセットの間、前記電流をモニタし、
前記連続したデューティサイクル周期のセットにわたる各プラトーの平均電流を決定し、
前記平均電流から前記電力消費量を決定するよう適合される請求項１乃至３のいずれか一項に記載のデバイス。
【請求項５】
前記コントローラが、
デューティサイクルの所望のセットの縮小バージョンであるデューティサイクルの第１セットを適用し、個々のデューティサイクル周期の間、前記電流をモニタし、
前記デューティサイクルのセットのスケーリングを徐々に増大させるよう適合される請求項１乃至４のいずれか一項に記載のデバイス。
【請求項６】
前記コントローラが、各プラトーのためにモニタされた前記電流の移動平均を導き出すよう適合される請求項５に記載のデバイス。
【請求項７】
前記コントローラが、更に、前記ＤＣ電圧をモニタし、前記ＤＣ電圧における変化に応じて前記デューティサイクルのセットを調節し、それによって、前記照明構成からの一定の出力光束を維持するよう適合される請求項１乃至６のいずれか一項に記載のデバイス。
【請求項８】
未知の電気負荷の照明要素の照明構成のためのドライバであって、
ＤＣ電圧源と、
前記ＤＣ電圧源を前記照明構成に結合するためのスイッチ構成であって、前記スイッチ構成が、スイッチのセットを有し、前記スイッチの各々が、前記照明要素のサブセットへの接続のためのものであるスイッチ構成と、
前記照明構成全体への電流を検出するための電流センサと、
請求項１乃至７のいずれか一項に記載のモニタデバイスとを有するドライバ。
【請求項９】
請求項８に記載のドライバと、前記ドライバによって駆動される照明構成とを有する照明装置であって、前記照明構成が、ユーザが構成可能なものである照明装置。
【請求項１０】
未知の電気負荷の照明要素の照明構成を用いて照明を供給するための照明方法であって、
スイッチのセットであって、前記スイッチの各々が前記照明要素のサブセットへの接続のためのものであるスイッチのセットを含むスイッチ構成を用いて、前記照明構成にＤＣ電圧源を結合するステップと、
前記スイッチのセットにデューティサイクルのセットを同時に適用し、それによって、ユーザによって選択された光出力を作成するよう、パルス幅変調を用いて前記スイッチ構成を制御するステップと、
個々のデューティサイクル周期内に前記照明構成全体に供給される電流をモニタし、それによって、前記デューティサイクル周期内の複数の電流プラトーを検出するステップと、
検出された前記電流プラトーと、前記デューティサイクルのセットとに基づいて、前記照明構成の電力消費量を決定するステップと、
前記検出された電流プラトーに応じて前記デューティサイクルを調節するステップとを有する照明方法。
【請求項１１】
異なる電流レベルのセットの分析に基づいて、照明要素の各サブセットを流れる電流を決定するステップを有する請求項１０に記載の方法。
【請求項１２】
前記負荷の決定された前記電力消費量及び前記ドライバの負荷定格に基づいて、前記セットの各デューティサイクルの最大デューティサイクルを設定するステップを有する請求項１０又は１１に記載の方法。
【請求項１３】
連続した個々のデューティサイクル周期のセットの間、前記電流をモニタするステップと、
前記連続したデューティサイクル周期のセットにわたる各プラトーの平均電流を決定するステップと、
前記平均電流から前記電力消費量を決定するステップとを有する請求項１０乃至１２のいずれか一項に記載の方法。
【請求項１４】
デューティサイクルの所望のセットの縮小バージョンであるデューティサイクルの第１セットを適用し、個々のデューティサイクル周期の間、前記電流をモニタするステップと、
前記デューティサイクルのセットのスケーリングを徐々に増大させるステップと、
モニタされた前記電流の移動平均を導き出すステップとを有する請求項１０乃至１３のいずれか一項に記載の方法。
【請求項１５】
コンピュータプログラムコード手段を有するコンピュータプログラムであって、前記コンピュータプログラムコード手段が、コンピュータにおいて実行されるときに、請求項１０乃至１４のいずれか一項に記載の方法を実施するよう適合されるコンピュータプログラム。
【発明の詳細な説明】
【技術分野】
【０００１】
本発明は、照明構成、とりわけ、例えば、照明構成がエンドユーザによって構成可能であることから、照明負荷が未知である照明構成をモニタするためのモニタデバイスに関する。モニタリングは、次いで、照明構成の駆動の一部として用いられてもよく、従って、コントローラ又はドライバの一部であってもよい。
【背景技術】
【０００２】
様々な照明構成を標準ドライバ設計に接続することができるようにしたいという要求がある。
【０００３】
負荷が変化し得る照明システムのスケーラビリティの理由で、電流源アーキテクチャではなく、電圧アーキテクチャで動かすことは有益である。
【０００４】
ＬＥＤモジュールなどの照明構成は、電圧バスと並列に配設され、用いられるＬＥＤのために必要とされる電流をローカルに生成する。
【０００５】
広く用いられているこのようなシステムの例は、ＬＥＤストリップである。ＬＥＤストリップ又はＬＥＤテープは、長さが数メートルになることがあり得る可撓性基板にＬＥＤが配置される線形ＬＥＤシステムである。管状ＬＥＤ（ＴＬＥＤ）などの剛性線形システムとは対照的に、この可撓性は、エンドユーザが、平らでない表面に前記ストリップを施すこと、又はそれを角度を付けて（複数回）曲げることを可能にする。
【０００６】
更に、ＬＥＤストリップのための専用ソケットの取り付けは必要とされず、前記ストリップは、適切な長さに延長及び削減され得る。
【０００７】
この取り付けの容易さのため、ＬＥＤストリップは、消費者セグメントにおいて他の線形システムを上回る市場シェアを獲得することが期待される。
【０００８】
もちろん、ＬＥＤストリップに加えて、トラック照明（track lighting）又は埋め込み式スポット照明などの、エンドユーザが変更可能な負荷で使用可能な他の照明システムはある。
【０００９】
一般的なＬＥＤストリップアーキテクチャが、図１において照明ストリップ２として示されている。照明システム全体は、ＡＣ主電源入力電圧１２を、安全なＤＣ電圧出力、例えば、12V若しくは24V、又は任意の他の安全なＤＣ電圧に変換するＡＣ／ＤＣ電圧源１０で構成される。多くの場合、エンドユーザによって要求されるカラーポイント（color point）及び調光レベルを受信し、適用することができるコントローラ１４が付加される。この制御は、一般に、コントローラ１４によってＰＷＭ制御される照明ストリップ２と直列にスイッチ１６を配置することによって得られる。
【００１０】
スイッチ１６は、スイッチの各々が（「チャネル」として知られている）照明要素のサブセットに接続するためのものであるスイッチのセットを形成する。
【００１１】
照明ストリップは、最終用途の要件に適合させるために、追加のストリップ４によって延長されることができる、又はより短い長さに削減されることもできる。
【００１２】
このような電圧ベースの照明システムの不利な点は、照明負荷が電源の定格電力よりも多くの電流を引き出すおそれがあることである。エンドユーザ又は照明器具取り付け顧客が、同じ電源にＬＥＤ負荷を追加する自由を有し、システムは、電源ユニットの過負荷の場合に動作し続けることができる必要がある場合、システムが、取り付けられている照明負荷を調査することが望ましい。
【００１３】
この調査は、WO 2017/041999によって開示されているように、システム内の異なるチャネルを１つずつオンに切り替え、それらの電流寄与を測定することによって、なされ得る。
【００１４】
しかしながら、これは、目に見える点滅をもたらす。更に、急激な負荷ステップ（sudden load steps）は、電源の電圧ディップをもたらし得る。幾つかの電圧ベースのシステムにおいては、電圧におけるディップは電流におけるディップに変換され、従って、電流が適切に調査されず、その場合、実際の電力は正しく推定されない。これは、電圧及び電流が同時に測定される場合にのみ可能である。
【００１５】
例えば（一定のＤＣ電圧が24Vの固定値であると仮定するときは）24Vの一定のＤＣ電圧を持たないときに電流を測定することは、測定エラーを引き起こす。
【発明の概要】
【発明が解決しようとする課題】
【００１６】
それ故、これらの不利な点なしに照明負荷を調査することを可能にするドライバが必要である。
【００１７】
US2011/0084620は、各ＬＥＤ分岐において１つの電流プローブが用いられる回路を開示している。
【００１８】
DE 10 2010 060857は、並列の幾つかの切り替えられるＬＥＤストリングを駆動するための電流ドライバを開示している。全電流が、要求されている全電流と等しいことを確認するために、単一の電流プローブで電流モニタリングがなされる。
【課題を解決するための手段】
【００１９】
本発明は、請求項によって規定される。
【００２０】
本発明の或る態様による例によれば、未知の電気負荷の照明要素の照明構成をモニタするためのモニタデバイスであって、前記照明構成が、ＤＣ電圧を前記照明構成に結合するためのスイッチ構成に関連付けられ、前記スイッチ構成が、スイッチのセットを有し、前記スイッチの各々が、前記照明要素のサブセットへの接続のためのものであり、前記モニタデバイスが、
パルス幅変調を用いて前記スイッチ構成を制御するための制御信号を供給するためのコントローラを有し、前記コントローラが、
前記スイッチのセットにデューティサイクルのセットを同時に適用し、それによって、ユーザによって選択された光出力を作成し、
個々のデューティサイクル周期内の複数の時点において電流をモニタし、それによって、前記デューティサイクル周期内の複数の電流プラトーを検出し、
検出された前記電流プラトーと、前記デューティサイクルのセットとに基づいて、前記照明構成の電力消費量を決定し、
前記検出された電流プラトーに応じて前記デューティサイクルを調節するよう適合されるモニタデバイスが提供される。
【００２１】
このモニタデバイスは、照明要素の各サブセットを個別に駆動することなしに、前記負荷の特性を決定することができる。その代わりに、前記照明要素の全てがユーザにっよって規定された所望のレベルに設定されている状態で、全電流がモニタされる。個々のデューティサイクル周期の時間スケールにおいてモニタすることによって、接続されるドライバは、検出された過負荷に対して、前記ＤＣ電圧源の自動遮断を防止するのに十分に素早く対応することができる。照明要素の異なるサブセットは一般に異なるデューティサイクルを有することから、各デューティサイクル周期内に複数の電流プラトーが生じる。従って、前記デューティサイクル周期全体内の異なる時間においては、異なる組み合わせの電流が引き出され、異なる電流プラトーを生じさせる。前記デューティサイクル周期全体は、前記照明要素のサブセットの全てで同じである。前記プラトーの測定は、各チャネルの電力を必要とされる電力に調節することによって、如何なる視覚的アーチファクトもなしに平均電流（又は電力）を決定することを可能にする。前記プラトーのデータは、各チャネルの寄与を決定するためにも用いられ得る。従って、例えば、前記システムが或るカラーポイントから別のカラーポイントへの遷移を有する場合、各チャネルが引き出す電流及び新しいデューティサイクルの知識に基づいて、過電力事象が生じるかどうかが予測され得る。前記ユーザによって選択された出力は、例えば、色及び明るさである。
【００２２】
前記ＤＣ電圧は、電流駆動ではなく電圧駆動が用いられることを意味し、例えば、ＡＣ／ＤＣコンバータから受け取られる。
【００２３】
前記電力消費量は、照明要素の異なるサブセットに適用される既知のデューティサイクルに基づいて決定される。これは、単一の最大電流だけでなく、駆動されている照明要素の異なるサブセットの電流の各組み合わせである複数の電流プラトーレベルの知識を必要とする。
【００２４】
前記電力消費量の決定は、前記照明構成の電源投入時に実施されてもよい。前記電力消費量の決定はまた、デューティサイクルの新しいセット（即ち、新しい調光レベル又はカラーポイント）が適用されるたびに、実施されてもよい。
【００２５】
前記デューティサイクル周期内の複数の時点において前記電流をモニタすることによって、複数のプラトーが観察され得る。照明要素の異なるサブセットが異なるデューティサイクルを有する場合、個々のデューティサイクル周期内に様々な電流フローがある。
【００２６】
全電力に対する照明要素の各サブセットの寄与が識別されることができるように、できるだけ多くのプラトー値を測定することが好ましい。
【００２７】
例えば、３チャネルシステムにおいては、３つの未知の寄与があるだろう。異なるＬＥＤチャネルの寄与の割合の知識に基づいて電流を分解することを可能にするためには、３つの式が必要とされる。前記コントローラは、ＬＥＤ構成からの情報を有するだろう。なぜなら、これは、或る特定のカラーポイントを得るための所望のデューティサイクルの割合を計算することができるようにするために必要とされるからである。従って、異なるチャネル間の公称電流比率を導き出すことを可能にするキャリブレーション設定が既に利用可能である。
【００２８】
測定され得るプラトーが多いほど、電力モニタ結果はより正確になる。
【００２９】
前記モニタデバイスは、既存のドライバと照明構成との間に設けられてもよく、前記既存のドライバは、前記スイッチ構成を含み、前記コントローラさえも含む。その場合、前記モニタデバイスは、既存のドライバのコントローラが使用される方法を変更するためのソフトウェアのアップグレードとして供給されてもよい。他の例においては、前記モニタデバイスは、新しいドライバの一部として実施されてもよい。
【００３０】
前記コントローラは、異なる電流プラトーレベルのセットの分析に基づいて、照明要素の各サブセットを流れる電流を決定するよう適合されてもよい。前記コントローラは、十分な数の異なる電流プラトー値が測定されている場合、これを行うことができる。
【００３１】
従って、電流プラトーを検出することによって、様々な電流測定値が、適用される前記デューティサイクルの知識を用いて、照明要素の個々のサブセットを通る電流を抽出するよう解釈され得る。従って、前記サブセットを通る個々の電流を実際に測定することなしに、全消費電力量が得られ得る。これは、基本的に、十分な電流測定値が得られたら一連の連立方程式を解くことによって達成される。
【００３２】
前記コントローラは、前記負荷の決定された前記電力消費量及び前記ドライバの負荷定格に基づいて、前記セットの各デューティサイクルの最大デューティサイクルを設定するよう適合されてもよい。従って、前記照明負荷に供給される電力は、駆動信号のデューティサイクルを縮小するが、通常は、異なるチャネル間の所望のデューティサイクルの割合を維持することによって、前記ドライバの最大電力供給未満に保たれる。
【００３３】
前記コントローラは、
連続した個々のデューティサイクル周期のセットの間、前記電流をモニタし、
前記連続したデューティサイクル周期のセットにわたる検出された各プラトーの平均電流を決定し、
前記平均電流から前記電力消費量を決定するよう適合されてもよい。
【００３４】
複数のデューティサイクル周期にわたる平均電流レベルをとることによって、電流検出精度が改善される。
【００３５】
前記コントローラは、
デューティサイクルの所望のセットの縮小バージョンであるデューティサイクルの第１セットを適用し、個々のデューティサイクル周期の間、前記電流をモニタし、
前記デューティサイクルのセットのスケーリングを徐々に増大させるよう適合されてもよい。
【００３６】
測定値が複数のデューティサイクルから取得される場合、前記測定値が集められている間、前記電力が高くなりすぎ得るリスクがある。前記デューティサイクルを徐々に拡大することによって、移動平均がとられることができ、移動平均電流が前記最大電力供給を超えるレベルに近づいているときが検出され得る。電圧のグリッチ（glitch）の間、電圧と電流との両方を測定し、前記電圧がより低い電圧から通常の電圧レベルに上昇する場合に前記電流がどうなるかを予測することも可能である。
【００３７】
前記コントローラは、更に、前記ＤＣ電圧をモニタし、前記ＤＣ電圧における変化に応じて前記デューティサイクルのセットを調節し、それによって、前記照明構成からの一定の出力光束を維持するよう適合されてもよい。このアプローチは、電圧のグリッチ又は他のアーチファクトが検出されるときに、結果として生じる光出力における変化が視覚的に知覚しにくくされるように、光出力を変更するために用いられ得る。
【００３８】
本発明は、未知の電気負荷の照明要素の照明構成のためのドライバであって、
ＤＣ電圧源と、
前記ＤＣ電圧源を前記照明構成に結合するためのスイッチ構成であって、前記スイッチ構成が、スイッチのセットを有し、前記スイッチの各々が、前記照明要素のサブセットへの接続のためのものであるスイッチ構成と、
前記照明構成全体への電流を検出するための電流センサと、
上記で規定されているようなモニタデバイスとを有するドライバも提供する。
【００３９】
これは、前記モニタデバイスを内蔵する照明構成ドライバを規定する。
【００４０】
本発明は、
上記で規定されているようなドライバと、前記ドライバによって駆動される照明構成とを有する照明装置であって、前記照明構成が、ユーザが構成可能なものである照明装置も提供する。
【００４１】
このユーザによる構成が、前記照明構成によって呈される負荷が前記ドライバには不明であることを結果としてもたらす。
【００４２】
本発明の別の態様によれば、未知の電気負荷の照明要素の照明構成を用いて照明を供給するための照明方法であって、
スイッチのセットであって、前記スイッチの各々が前記照明要素のサブセットへの接続のためのものであるスイッチのセットを含むスイッチ構成を用いて、前記照明構成にＤＣ電圧源を結合するステップと、
前記スイッチのセットにデューティサイクルのセットを同時に適用し、それによって、ユーザによって選択された光出力を作成するよう、パルス幅変調を用いて前記スイッチ構成を制御するステップと、
個々のデューティサイクル周期内に前記照明構成全体に供給される電流をモニタして、前記デューティサイクル周期内の複数の電流プラトーを検出するステップと、
検出された前記電流プラトーと、前記デューティサイクルのセットとに基づいて、前記照明構成の電力消費量を決定するステップと、
前記検出された電流プラトーに応じて前記デューティサイクルを調節するステップとを有する照明方法が提供される。
【００４３】
この方法は、前記照明構成に供給される全電流のみを用いて、前記電力消費量を導き出す。
【００４４】
前記方法は、異なる電流レベルのセットの分析に基づいて、照明要素の各サブセットを流れる電流を決定するステップを有してもよい。
【００４５】
例えば、前記セットの各デューティサイクルの最大デューティサイクルが、前記負荷の決定された前記電力消費量及び前記ドライバの負荷定格に基づいて、設定され得る。
【００４６】
前記方法は、
連続した個々のデューティサイクル周期のセットの間、前記電流をモニタするステップと、
前記連続したデューティサイクル周期のセットにわたる各プラトーの平均電流を決定するステップと、
前記平均電流から前記電力消費量を決定するステップとを有してもよい。
【００４７】
この平均化アプローチはより正確な測定値を与える。
【００４８】
前記ドライバがオンにされたらすぐに過負荷を防止するために、前記方法は、
デューティサイクルの所望のセットの縮小バージョンであるデューティサイクルの第１セットを適用し、個々のデューティサイクル周期の間、前記電流をモニタするステップと、
前記デューティサイクルのセットのスケーリングを徐々に増大させるステップと、
モニタされた前記電流の移動平均を導き出すステップとを有してもよい。
【００４９】
前記方法は、例えば、電圧のグリッチ又は他の電圧アーチファクトを検出するために、前記ＤＣ電圧を測定するステップも有してもよい。このやり方においては、過負荷状況が検出され得る。モニタされる前記ＤＣ電圧は、前記ＤＣ電圧における変化に応じて前記デューティサイクルのセットを調節し、それによって、前記照明構成からの一定の出力光束を維持するためにも用いられてもよい。
【００５０】
本発明は、少なくとも部分的には、ソフトウェアによって実施され得る。
【００５１】
本発明のこれら及び他の態様を、下記の実施例に関して説明し、明らかにする。
【図面の簡単な説明】
【００５２】
ここで、添付図面を参照して、本発明の例を詳細に説明する。
【図１】一般的なＬＥＤストリップアーキテクチャを示す。
【図２】本発明に従って構成及び動作され得る照明システムの電気回路図を示す。
【図３】照明要素の様々なサブセットを流れる電流を測定する或る可能なやり方を示す。
【図４】３つのチャネルを備えるシステムの或る特定のカラーポイント及び調光レベルの一般的な波形を示す。
【図５】本発明によるアプローチを図示する。
【図６】制御方法の或る例を示すフローチャートである。
【図７】変動供給電圧の問題を示すために用いられる。
【図８】補正メカニズムを段階的シーケンスとして示す。
【発明を実施するための形態】
【００５３】
本発明は、未知の電気負荷の照明要素の照明構成をモニタするためのモニタデバイス、及びモニタ構成を用いるドライバを提供する。デューティサイクルのセットが、それによって、所望の（即ち、ユーザによって要求される、及びユーザ入力として適用される）光出力を作成するために、照明要素のサブセットを制御するスイッチに、加えられる。この所望のデューティサイクル設定で、とりわけ個々のデューティサイクル周期内の電流プラトーレベルにおける変化を検出するために、個々のデューティサイクル周期の間の電流がモニタされる。これは、照明構成の電力消費量を決定するために用いられる。これは、負荷の性質及び電力消費量を決定するために照明要素のサブセットを個別に調査する必要性をなくす。
【００５４】
図２は、５つの異なる色を持つＬＥＤストリップの電気回路図を示している。ＬＥＤの各ストリング２ａ乃至２ｅは、同じ色のＬＥＤのセットであり、これらのストリングは、12Vなどの同じＤＣ電圧源に接続する。５つの異なるストリングタイプ、及び各タイプの複数のストリングがある。１つのタイプ（即ち、色）の全てのＬＥＤが、一緒に、照明要素のサブセットを形成する。各サブセットは、スイッチのセット１６内に関連スイッチを有し、故に、サブセット内の全てのＬＥＤが、コントローラ１４からのパルス幅変調（ＰＷＭ）信号を用いて同じデューティサイクルで制御される。
【００５５】
供給電圧に応じて、多くのＬＥＤが、電流制限抵抗器Ｒ、又は電流源若しくは電流シンクと直列に配置される。
【００５６】
電圧源の電源が用いられることから、ＬＥＤストリングはストリップの長さにわたって並列に配置される。ストリップは、ＬＥＤストリングを追加する又は取り外すことによって削減及び延長され得る。図２は、流れる全電流を測定するために電流検出抵抗器２０が用いられることも示している。
【００５７】
ＬＥＤストリップは、一般に、或る特定の最大電力を供給することができる電圧源を備えている。
【００５８】
各ＬＥＤストリップ延長は、或る特定の負荷を表し、全く対策なしでは、ＬＥＤストリップは、長さであって、前記長さの負荷が電源によってサポートされ得る長さまでしか延長されることができない。サポートされているよりも多くの負荷が取り付けられる場合には、電源が機能を停止し、従って、ＬＥＤストリップ製品が全体として機能を停止する。即ち、出力電圧が低下し、システムは最終的に動作を停止する。
【００５９】
それ故、この電力制限の問題の結果として、延長可能なＬＥＤストリップを提供することは課題である。
【００６０】
ほとんどのＬＥＤストリップ製品は、一般に、それに付属している長さのストリップにしか電力を供給することができない電源を具備する。電源の過剰設計は、延長が望まれない場合にはエンドユーザによって用いられない製品の余分なコストをもたらす。それでもなお、より長いストリップが望まれる場合には、電源が変更される必要がある、又はまったく新しいＬＥＤストリップが取り付けられる必要がある。
【００６１】
ＬＥＤストリップにおいて用いられるようなバス電圧アーキテクチャの原理は、照明器具において用いられるビルディングブロックを規定するためにも用いられ得る。これは、全て同じように動作する複数のライトポイントを備える照明器具の場合に特に有益である。その場合には、複数のライトポイントに対処するのに単一の電源及びコントローラしか必要とされず、これは、各々が、通信モジュール、電源及びＬＥＤモジュールから成るランプを照明器具に装備するのに比べて、コストを節約するものである。
【００６２】
照明器具の見た目及び感じの魅力は非常に個人的なものであることから、一般に、照明器具の見た目及び感じにおける多様性は非常に大きい一方で、照明器具のタイプごとの生産量は少ない。それ故、様々な照明器具タイプにできるだけ多くの電子ビルディングブロック（電源、通信モジュール、ＬＥＤモジュール）を適用することができることが望ましい。実際、電源及び通信モジュールは多くの異なる照明器具において適用され得ると予測される。ＬＥＤモジュールにおいて多様性が生じると期待される。この多様性の理由は、必要とされるライトポイントのサイズ、出力される光束、及び作成され得る色域（即ち、フルカラー、調整可能な白色光、固定白色）にある。
【００６３】
異なるＬＥＤ基板は、ＬＥＤを適切に制御するために、コントローラにおけるソフトウェアにおいて異なる設定を必要とする。ソフトウェアにおける多様性は、優れた色の一貫性を確保するためにカラーポイントを正確に計算するために必要とされる様々なＬＥＤパラメータを含む。ＬＥＤの接合部温度を計算するために、従って、その温度における光束及びカラーポイントを計算するために、原色ごとの光束及びカラーポイントに加えて、熱放散及び熱抵抗のような熱パラメータも重要である。
【００６４】
電子モジュールが、電子機器及びソフトウェアの知識が限られている照明器具製造業者に供給される場合には、色にばらつきのないモジュールを得るようソフトウェアを構成することは非常に困難である。
【００６５】
また、上記のＬＥＤストリップの例と同様に、電源がサポートするには多すぎるＬＥＤモジュールが照明器具に取り付けられ、結局、機能しない照明器具になる可能性がある。
【００６６】
従って、ユーザが構成可能な照明負荷を電源に供給することができるという利点は、モジュール式照明器具の設計と照明ストリップの両方に適用される。
【００６７】
ＬＥＤ負荷が電源の能力を超えていることを（エンドユーザ又は照明器具製造業者によって）検出するための或るアプローチは、製品が、製品に給電されるたびにＬＥＤ負荷を調査するものである。
【００６８】
図２の回路は、この目的のために使用され得る。とりわけ、検出抵抗器２０は、ＬＥＤ負荷によって引き出される電流がコントローラ１４にフィードバックされることを意味する。取り付けられるＬＥＤ負荷は、電源がサポートすることができる負荷よりも大きい可能性があることから、ＬＥＤによって引き出される電流の測定は、迅速に実施されなければならない。なぜなら、一般的なＤＣ電圧源におけるコンデンサは、安定動作のために指定されているものよりも何倍も高い電流パルスは、短い電流パルスしかサポートすることができないからである。
【００６９】
これは、コントローラ回路は、コントローラによって生成されるＰＷＭ信号に素早く対応することができなければならないことを意味する。
【００７０】
この課題については、図３を参照して説明する。図３は、照明要素の５つのサブセットに順に印加される駆動信号３０を示しており、電流検出抵抗器２０にわたって測定される電流が、プロット３２として示されている。矢印３４によって示されている時点において電流レベルのサンプルがとられる。
【００７１】
電源から多すぎる電力を引き出さないために、パルスの印加と応答の安定プラトー値の読み出しとの間の時間は短くすべきである。
【００７２】
各プラトー値は、１つの特定のスイッチに接続される全てのＬＥＤにおいて引き出される全電流、即ち、同じタイプの並列分岐の全てにおける電流の合計を表す。従って、それは、照明要素のそのサブセットによって引き出される全電力に関連する。短いパルスのため、この電流プラトー電流は、電源が安定動作の下で供給することができる最大電流よりも何倍も大きくなり得る。
【００７３】
図４は、３つのチャンネルを備えるシステムの或る特定のカラーポイント及び調光レベルの一般的な波形を示している。各チャネルは、その特有のデューティサイクル（ＤＣｉ）と、その特有の電流寄与（Ｉｉ）とを有する。
【００７４】
ＤＣｉは、チャネルｉのデューティサイクルであり、Ｉｉは、電源投入時に得られるチャネルｉの電流寄与である。
【００７５】
通常動作においては、チャネルごとの電流寄与が既知であることにより、ソフトウェアは、特定のカラーポイント及び調光レベルにおいてＬＥＤ負荷から引き出される電力を、以下の式に従って計算することができる。
【数１】
2020532056.tif 000003
【００７６】
従って、電力は、（負荷の性質に依存することから不明である）個々の（照明要素のサブセットごとの）電流寄与と、（既知である）個々の（照明要素のサブセットごとの）デューティサイクルとの両方に関連する。従って、デューティサイクル周期（即ち、０からＴまでの時間）内の単一の電流測定は、十分な情報を与えない。これが、各電流レベルの個別測定が必要とされる理由である。本質的には、図４において示されているプロットの面積が計算される。
【００７７】
計算された電力が電源の定格電力よりも大きい場合には、ＤＣｉの全ての値の削減が、
【数２】
2020532056.tif 000004
に従って適用され得る。
【００７８】
このやり方においては、各チャネルのデューティサイクルが、定格電力が超えられないことを確実にするよう削減され、電源は落ちない。
【００７９】
しかしながら、このアプローチには不利な点がある。
【００８０】
印加されるパルス列は、人間の目に見える点滅を生じさせ、顧客の不満をもたらすかもしれない。パルス列は、照明要素の各サブセットが順に調査されることから、必要とされる。電源ユニットの電源投入直後のこれらのパルス列などのかなりの負荷の急な投入は、電源ユニットの電圧降下をもたらし得る。従って、パルス列が公称電圧よりも低い電圧において測定されるリスクがあり、これは、誤った負荷の決定をもたらし得る。このことは、負荷決定機能を、電源のロバスト性にかなり依存させ、コストをもたらす。
【００８１】
例えば、高力率の一段電源は、急な負荷投入の場合に電圧降下の影響を受けやすいことが知られている。これは、電源に回復する時間を与えるようパルス継続時間を増大させることによって解決され得るが、これは、より顕著な点滅をもたらすだけである。
【００８２】
本発明は、目に見える点滅を伴わず、大きな負荷の急な投入を防止する、起動時の負荷決定のための他のプロシージャを提供する。
【００８３】
本発明は、図４において示されているように、直ちに、意図されたカラーポイントにおいて、それによって、異なるチャネルの異なる寄与を組み合わせて、照明を始動させることに基づいている。異なるチャネルのデューティサイクルは既知であることから、上記の式（1）に従って電力の非常に正確な決定をするために、異なる電流プラトー値の高さの測定値が用いられる。
【００８４】
従って、０からＴまでのデューティサイクル周期内で、一連の電流測定が行われる。一連の測定タイミング４０が図４において示されている。
【００８５】
例えば、1ms（1kHz）周期あたり１２０サンプルのような、デューティサイクル周期内に数十回の測定が行われることがあり得る。
【００８６】
上記で説明したように、測定中の電力が電源の定格電力よりも大きい場合には、全てのデューティサイクルが再び調節され得る。
【００８７】
本発明は、図２において示されているアーキテクチャを用いて、本質的には、コントローラ１４によって供給される異なる機能で、実施され得る。従って、本発明は、コントローラ１４用の異なるソフトウェアソリューションとして実施され得る。
【００８８】
この場合も先と同様に、ドライバは、未知の電気負荷の照明要素の照明構成２のためのものである。ＤＣ電圧源１０は、スイッチ構成１６によって照明構成２に結合される。スイッチ構成は、スイッチのセットを有し、前記スイッチの各々は、照明要素のサブセット２ａ、２ｂ、２ｃ、２ｄ、２ｅとの接続のためのものである。電流センサ２０は、照明構成全体への電流を検出するためのものであり、コントローラ１４は、パルス幅変調を用いてスイッチ構成を制御する。
【００８９】
所望の光出力を作成するよう、デューティサイクルのセットがスイッチのセットに適用される。複数の電流プラトーが観察され得るような個々のデューティサイクル周期の間にプラトー電流が検出され、次いで、照明構成の電力消費量が得られる。これは、照明要素の各サブセットを個別に駆動することを防止する。モニタリングは、個々のデューティサイクル周期中に行われ、故に、ドライバは、検出された過負荷に対して、ＤＣ電圧源の自動遮断を防止するのに十分に素早く対応することができる。ＤＣ電圧はまた、過負荷状態を決定することを可能にするためにモニタされる。
【００９０】
「所望の光出力」は、一般に、ユーザによって選択された、出力される色及び明るさである。これは、モニタリングルーチンの一部として「所望の」ものではなく、モニタリングプロセスとは独立して選択されている。
【００９１】
上記で説明したように、照明要素の異なるサブセットに関連する複数の電流プラトーレベルの知識が必要とされる。これらのプラトーは、デューティサイクル周期全体内に複数の電流サンプリング時点を有することによって、測定される。
【００９２】
測定前の初期電力が、電源ユニットが、その過電力保護モードになり、オフに切り替わるような程度まで又は時間量の間、定格電力を上回ることもあり得る。
【００９３】
これを防止するためには、上記で説明したように単一のデューティサイクル周期内で（即ち、ＰＷＭ周波数において）、プラトー値を非常に高速に測定し、次の周期内の電力測定にはもう作用することが望ましい。このやり方においては、1kHzのＰＷＭ周波数では、電力を調整するのに2msかかり、これは、電源が過電力保護を採用するのを防止するのに十分に高速であり得る。しかしながら、このソリューションの不利な点は、このような短い測定期間が不正確な結果をもたらし得ることである。
【００９４】
精度の向上を提供するために、複数の周期にわたる平均電流の取得、場合によっては、フィルタにかけることによる電源ユニットのリップル周波数の除去が用いられ得る。プラトー測定は、単一のデューティサイクル周期内のままであり、システムは、各デューティサイクル周期後に（例えば、移動平均を更新することによって）応答することができる。しかしながら、このような測定が複数処理されるという利点が得られる。
【００９５】
この期間の延長により電源がその過電力保護モードになることを防止するために、光レベルのランプアップ（ramp up）中、電流プラトー測定値を平均することが実施され得る。このようなランプアップは、デューティサイクルの長さにしか影響を与えず、プラトーの高さには影響を与えない。 
【００９６】
例えば、（例えば）50msの期間内の最小調光レベルから最大出力までの光のランプアップから始めることによって、電源ユニットがその過電力保護に切り替わるリスクなしに、両方の電流プラトーの正確な値が得られる。50msの周期内のランプアップは、ほとんど目に見えない。
【００９７】
新しい周期中に取得されたプラトー測定値の各新しいセットは、次いで、移動平均のセットに入れられることができ、移動平均のセットはますます正確になる一方で、システムは、依然として、移動平均の更新のたびに電力を調節することができる。従って、照明構成の電力消費量は、各デューティサイクル周期の割合で決定又は更新される。
【００９８】
更に、負荷を緩やかに増加させることによって、電源の電圧は、電流寄与の正確な測定をもたらすその出力電圧を調節するための時間を持つ。
【００９９】
或る可能なアプローチにおいては、起動中、0％から最大80％までの光出力の増加が実行され得る。各1kHzの周期中、約１００サンプリング時点において電流が測定され、デューティサイクル周期の最後の10％の間、迅速な電圧測定が実行される。この期間中、各チャネルがゼロに設定されるように強度（従って、最大デューティサイクル）が80％に制限されることから、電流は流れない。
【０１００】
このやり方においては、周期ごとの絶対電力が導き出され得る。次いで、最大ランプアップ強度が制御又は制限され得る。例えば、最大強度は、能動的に10ms以内に制限され始め得る。
【０１０１】
図５は、この一般的なアプローチを図示している。
【０１０２】
電流プロットの左側のスタックは、デューティサイクルの所望のセットの縮小バージョンであるデューティサイクルの最初のセットである。例えば、それは、デューティサイクルの所望の組み合わせの3％調光レベルバージョンを含み得る。次いで、電流が、その個々のデューティサイクル周期の間、モニタされる。
【０１０３】
デューティサイクルのセットのスケーリングは、例えば、（時間においてより後の）電流プロットの右側のスタックにおいて示されているように、徐々に増大される。
【０１０４】
図５は、測定タイミングの瞬間を一連の矢印５０として示している。最初の3％調光レベルは、全てのプラトー値は測定されることができないほど低いもしれない。
【０１０５】
図５は、２つのより低いプラトーのために１つの測定値が得られる場合の限界を示している。デューティサイクルがより低い場合には（図５は、実際は、3％よりもずっと高いデューティサイクルを示すように誇張されている）、これらのプラトーは見落とされる。
【０１０６】
このような場合には、最初の電力推定は、単一のプラトーの測定のみに基づき得る。測定されたプラトーの値に（既知の）最長デューティサイクルを掛けることによって、電力の過大推定がなされ得る。デューティサイクルが増大されるにつれて、示されているように個々のプラトーが測定可能になる。
【０１０７】
モニタリングは、起動時に、及び随意に、別のカラーポイントへの移行がなされるときにも、行われ得る。
【０１０８】
図６は、上記の制御方法の或る例を示すフローチャートである。
【０１０９】
ステップ６０において、所望のカラーポイントが入力され、ステップ６２において、それがデューティサイクルのセットに変換される。ステップ６２は、色モデルを利用し、所望のカラーポイントに到達するためのデューティサイクルの割合を出力する。これは、ユーザが所望のカラーポイントを設定することに関するものである。
【０１１０】
ステップ６４においては、ランプに電源が投入される。
【０１１１】
ステップ６６においては、ステップ６２からのデューティサイクルが３％にスケーリングされる。
【０１１２】
ステップ６８においては、最初のデューティサイクル周期内の可能な限り全てのプラトー値が測定される。ステップ７０においては、それらの測定値に基づいて負荷が推定される。
【０１１３】
この負荷推定は、ステップ７２において最大デューティサイクル限界を計算するために使用される。下記で説明するように、この最大値は徐々に更新される。
【０１１４】
ステップ７４においては、最大デューティサイクル限界に既に到達しているかどうかが決定される。そうである場合には、ステップ７６において、デューティサイクルは、全て、決定された負荷と電源ユニットの定格負荷との間の比率だけ低減される。最大値に到達していない場合には、ステップ７８において、デューティサイクルは、全て、2％増大される。従って、５０サイクル後には、デューティサイクルは、抑制されない限り、元々の目標レベルに到達する。
【０１１５】
ステップ８０においては、次のデューティサイクル周期内の可能な限り全てのプラトー値が測定される。次いで、ステップ８２において、各プラトー値の移動平均が更新される。
【０１１６】
ステップ８４においては、（1kHzでの動作時には50msの起動サイクルの間に）全５０ステップが実行されたかどうかが決定される。５０サイクルが完了している場合には、平均プラトー値が記憶され、ステップ８６において、結果として生じるデューティサイクルレベルを用いて、照明構成が定常状態において制御される。
【０１１７】
５０サイクルがまだ完了していない場合には、ステップ８８において、負荷推定の更新が行われ、更新された負荷推定は、次いで、更新された最大デューティサイクル情報が導き出されることを可能にするよう、ステップ７２にフィードバックされる。
【０１１８】
この方法の拡張においては、個々のチャネルの電流寄与Ｉｉを導き出し、記憶することかが可能である。３チャネルシステムの図５のグラフの例においては、全てのプラトーが、測定されるのに十分な継続時間を有し、照明構成の起動直後に全ての電流値Ｉｉの寄与が決定され得る。しかしながら、測定には有限量の時間がかかり、デューティサイクルの差が小さすぎ、且つＰＷＭ周波数が高すぎる場合には、或る特定の色（又はデューティサイクルの組み合わせ）のための幾つかのプラトー値は決定されることができないことはあり得る。従って、単一の又は減少されたセットのプラトー値しか測定されることができないことはあり得る。これは、明らかに、デューティサイクル周期内に幾つの電流測定がなされるのかと、異なるチャネルのデューティサイクル間の差とに依存します。
【０１１９】
近似として、キャリブレーション設定が、異なるチャネル間の電流比率についての情報を与え、これは、異なるチャネルの電流寄与の推定値を得るために用いられ得る。より高い精度のために、ルーチンは、エンドユーザが、新しいプラトー値が測定されるのに十分な長さになるまで光を別のカラーポイント（即ち、デューティサイクルの異なる組み合わせ）に設定するまで、待機し得る。
【０１２０】
別の可能性は、更なる電流プラトーが確実に測定され得るようにするよう、50msの起動期間中に色温度設定を調節するものである。例えば、モニタリングは、最も低い色温度（2200K）において開始し、ランプアップ中、2700Kに移動する（又は3500Kまでも移動し、次いで、2700Kに戻る）ことができる。これは目に見えないが、その場合、複数のプラトーが測定され得る。
【０１２１】
３チャネルシステムの場合は、プラトー電流が構成され得る７つの異なる組み合わせがある。下表は、可能なプラトーレベルを電流Ｉ１、Ｉ２及びＩ３の組み合わせとして示している。
【表１】
2020532056.tif 000005
【０１２２】
Ｉ１乃至Ｉ７の全てが異なる値である場合には（Ｉ１、Ｉ２及びＩ３が共通の倍数を持たない場合にそうであるだろう）、３つの構成成分を導き出すために任意の３つのプラトー測定が用いられ得る。
【０１２３】
最低調光設定が適用されるときにプラトー測定値が１つしかない場合には、キャリブレーション設定における電流比率の知識が、推定値を導き出すために用いられ得る。
【０１２４】
例えば、単一のプラトー測定でＩ１＋Ｉ２＋Ｉ３が得られ場合があり、キャリブレーション設定は、例えば、Ｉ１＝２Ｉ２及びＩ１＝Ｉ３の公称電流を示す場合がある。その場合、３つの電流が得られ得るが、幾らかの不確実性はある。
【０１２５】
プラトー値が決定されることができるたびに、それはテーブルに記憶されることができる。３つの異なるプラトー値が測定されるとすぐに（それらが電流の一意の組み合わせに関連すると仮定すると）、３つの未知数を持つ３つの式があり、全ての個々の電流値Ｉｉがより確実性を持って計算され得る。この段階に到達すると、式（１）に基づいて新しいカラーポイントの電力が計算され得る。
【０１２６】
更に多くの原色を備えるシステムの場合は、これはより複雑になるが、一般的に言えば、寿命中の50msの間に幾つかのカラーポイントに切り替えられる照明構成は、Ｉｉの値を決定するのに十分である。従って、テーブルは、デューティサイクルの異なる開始組み合わせを備える照明システムの多くの動作を通じて、完成される。
【０１２７】
このプロシージャの別の利点は、電流値Ｉｉが或る特定の期間後に更新され得ることである。温度又はＬＥＤの経年劣化により、これらの値が初期値から逸脱し始める可能性があり得る。従来のやり方においては、電流値Ｉｉの決定は、照明の電源投入時にしか行われない。（例えば、全てＰＷＭ＝０に設定することによって照明をオフに切り替えることによって）接続照明が常に給電されている場合には、これらの値は更新されない。
【０１２８】
上記のアプローチは、電力消費量の計算を可能にするために、照明要素のサブセットによって引き出される様々な電流の決定を供給する。
【０１２９】
この情報は、他の目的のために使用されてもよい。
【０１３０】
ＬＥＤストリングを流れる電流を制限するために抵抗器Ｒが用いられる上記の低コストの電圧ベースの照明システムにおいては、光出力の安定性は入力電圧の安定性に大きく依存する。不安定性をもたらし得る例は、リップル電圧、隣接する重機の切り替えのような外部要因による電圧ディップ、若しくは負荷ステッピング（load stepping）による電源自体による電圧変動、又は制御アルゴリズムである。
【０１３１】
これらの電圧変動は、光出力において目に見えるようになり得る。上記のアプローチは、様々な電流寄与が既知であることを意味する。光出力が不変のままであるようにデューティサイクルのセットを変更することによって、電圧における変化は補償されることができ、従って、電流における変化は補償されることができる。
【０１３２】
ＤＣ電圧は、例えば、24Vであるかもしれず、これは、10%、即ち、2.4V変動するかもしれない。図２における抵抗器Ｒが電圧源の6Vを取り込む場合には、電圧における変化は前記抵抗器に取り込まれると仮定すると、ＬＥＤを流れる電流は35％変化する（2.4/6 = 0.35）。
【０１３３】
高力率照明規制に従う一段トポロジの低コスト電源は、一般に、+/-1Vまでのかなりの電圧リップルを示す。
【０１３４】
更に、出力電圧における他のアーチファクトも、光出力において直ちに目に見える。例は、主電源入力電圧の急激な増加／減少による、即ち、照明構成の近くの重機がオン又はオフに切り替えられるときの、電圧ステップ、及び電源自体によって引き起こされる電圧ステップである。幾つかの制御ＩＣは、電圧が公称電圧からあまりに離れてドリフトしているときには、高帯域幅（即ち、高速）調整を示す電圧が或る特定のしきい値を交差する場合には、この高帯域幅制御が開始され、電圧は非常に素早く公称値に戻るよう調整される。これも、電圧におけるステップをもたらす。
【０１３５】
このしきい値を交差することによる影響は図７において示されている。上のプロットは時間に対するＬＥＤ電流を示している。下のプロットは電圧を示している。公称値（この例においては24V）より上又は下のしきい値に到達するとき、９０において高速修正制御があり、これは、９２において、電流ステップをもたらし、従って、可視光のグリッチをもたらす。
【０１３６】
光曲線の非線形性は見えないが、目は光出力における急激な変化又はステップに非常に敏感である。
【０１３７】
このタイプのアーチファクトは、全てのＬＥＤを流れる全電流をモニタし、電源の公称電圧に基づく期待電流からのあらゆる逸脱に即座に対処することによって防止され得る。
【０１３８】
更なるアプローチは、平均光束が可能な限り一定なままになるように全てのチャネルのデューティサイクルを増大／減少させることによって、電流におけるステップを補償するものである。電圧／電流ステップは、（保護制御の一部として望ましいことから）防止されないが、知覚できなくなる。
【０１３９】
光におけるグリッチの原因となるのは電源の電圧であるが、光束は電流に直接関係していることから（上記で説明したように）電流がモニタされる。更に、電圧における10％の変化は、上記で示したように電流において35％の変化をもたらすので、電流を測定することによって電圧におけるステップも検出しやすくなる。
【０１４０】
光出力は、電流掛ける駆動パルスの長さに等しいことから、プラトー電流におけるディップは、一定の光束φのための要件を示す以下の式に従うデューティサイクルの増加によって補償され得る。
【数３】
2020532056.tif 000006
【０１４１】
ＤＣｏｌｄは、前のデューティサイクルであり、Ｉｐｌａｔｅａｕ，ｃａｌｃは、前に計算されたプラトー電流である。これは、公称電圧における基準プラトー値になる。ＤＣｎｅｗは、新しいデューティサイクルであり、Ｉｐｌａｔｅａｕ，ｍｅａｓは、（電圧における変化によってもたらされた）新しく測定されたプラトー電流である。
【０１４２】
図８は、より良い理解のために補正メカニズムを段階的シーケンスとして示している。電圧は、線１００によって示されている。７つの連続した電流波形が示されており、Ａ乃至Ｇと表記されている。
【０１４３】
時間Ａにおいは、照明構成は定常状態にある。
【０１４４】
時間Ｂにおいては、電圧遷移の開始がある。結果として生じる電流の変化は、時間Ｃにおいて検出される。
【０１４５】
時間Ｄにおいては、デューティサイクルが（矢印１２０によって示されているように）増大させられ、更なる電流低下が検出される。時間Ｅにおいては、デューティサイクルが再び増大させられ１０４、更なる電流低下が検出される。
【０１４６】
時間Ｆにおいては、デューティサイクルが増大させられる１０６が、公称レベルに戻る電流が検出される。時間Ｇにおいては、デューティサイクルは、定常状態の駆動条件に対応する元のレベルに戻される。
【０１４７】
補償メカニズムは、実際の信号に対して１デューティサイクル周期遅れる。
【０１４８】
本発明は、（エンドユーザ又は照明システムのコミッショナであり得る）顧客が、固定定格電力の電源を備えるシステムに異なる負荷を取り付けることができるシステムにとって興味深い。その場合、電源は別のビルディングブロックである。これらのシステムの例は、エンドユーザが延長可能であるＬＥＤストリップ、又は照明器具においてビルディングブロックとして用いられるＬＥＤストリップである。他の例においては、単一のドライバーを共有し、エンドユーザによって追加ユニットが追加され得る埋め込み式スポット又はダウンライトが別の例である。
【０１４９】
上記のように、説明した計算を実施するためにコントローラが用いられる。コントローラは、必要とされる様々な機能を実施するよう、ソフトウェア及び／又はハードウェアを用いて、多くの方法で実施されることができる。プロセッサは、必要とされる機能を実施するためにソフトウェア（例えば、マイクロコード）を用いてプログラムされ得る１つ以上のマイクロプロセッサを用いるコントローラの一例である。しかしながら、コントローラは、プロセッサを用いて又はプロセッサを用いずに実施されてもよく、幾つかの機能を実施する専用ハードウェアと、他の機能を実施するプロセッサ（例えば、１つ以上のプログラムされたマイクロプロセッサ及び関連回路）との組み合わせとして実施されてもよい。
【０１５０】
本開示の様々な実施例において用いられ得るコントローラ構成要素の例は、従来のマイクロプロセッサ、特定用途向け集積回路（ＡＳＩＣ）、及びフィールド・プログラマブル・ゲート・アレイ（ＦＰＧＡ）を含むが、これらに限定されない。
【０１５１】
様々な実施例において、プロセッサ又はコントローラは、ＲＡＭ、ＰＲＯＭ、ＥＰＲＯＭ及びＥＥＰＲＯＭのような揮発性及び不揮発性コンピュータメモリなどの１つ以上の記憶媒体と関連づけられ得る。記憶媒体は、１つ以上のプロセッサ及び／又はコントローラにおいて実行されるときに必要とされる機能を実施する１つ以上のプログラムで符号化され得る。様々な記憶媒体は、記憶媒体に記憶されている１つ以上のプログラムがプロセッサ又はコントローラにロードされ得るように、プロセッサ若しくはコントローラ内に取り付けられ得る、又は可搬型であり得る。
【０１５２】
当業者は、請求項に記載の発明を実施する際に、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、相互に異なる従属請求項において挙げられているという事実は、これらの手段の組み合わせが有利になるように用いられることができないことを示すものではない。請求項における如何なる参照符号も、範囲を限定するものとして解釈されてはならない。
【図１】
2020532056.tif 000007
【図２】
2020532056.tif 000008
【図３】
2020532056.tif 000009
【図４】
2020532056.tif 000010
【図５】
2020532056.tif 000011
【図６】
2020532056.tif 000012
【図７】
2020532056.tif 000013
【図８】
2020532056.tif 000014
【国際調査報告】
2020532056.tif 000015
2020532056.tif 000016
2020532056.tif 000017